(57)【特許請求の範囲】
【請求項１】
再生レーザビームの照射によって光磁気記録媒体上に形成されたビームスポットの大きさで決まる光学分解能よりも高い分解能で情報の再生が可能な光磁気記録部と、プリフォーマット部を有する磁気誘導超解像光磁気記録媒体に記録された情報の再生方法において、
前記光磁気記録部に記録された情報を再生する際の再生レーザビームのパワーを、前記プリフォーマット部の情報を再生する際の再生レーザビームのパワーよりも大きくすることを特徴とする磁気誘導超解像光磁気記録媒体に記録された情報の再生方法。
【請求項２】
再生レーザビームの照射によって光磁気記録媒体上に形成されたビームスポットの大きさで決まる光学分解能よりも高い分解能で情報の再生が可能な光磁気記録部と、プリフォーマット部を有する磁気誘導超解像光磁気記録媒体に記録された情報の再生方法において、
前記光磁気記録部に記録された情報を再生する際の再生レーザビームのパワーを、前記プリフォーマット部の情報を再生する際の再生レーザビームのパワー又は待機中のレーザビームのパワーよりも大きくするとともに、
再生レーザビームのパワーの切り換えを、前記プリフォーマット部のＩＤ検出信号に基づく光磁気データリードゲート信号に応じて行なうことを特徴とする磁気誘導超解像光磁気記録媒体に記録された情報の再生方法。
【請求項３】
再生レーザビームパワーを、光磁気記録媒体の再生位置に応じて設定することを特徴とする請求項１又は２記載の再生方法。
【請求項４】
再生レーザビームパワーを切り換えるための回路を、記録のためのレーザビームパワーを発生する回路と兼用したことを特徴とする請求項１，２又は３記載の再生方法。
【請求項５】
光磁気記録媒体に再生レーザビームを照射するレーザ光源を有し、再生レーザビームの照射によって前記光磁気記録媒体上に形成されたビームスポットの大きさで決まる光学分解能よりも高い分解能で情報の再生が可能な光磁気記録部と、プリフォーマット部を有する磁気誘導超解像光磁気記録媒体に記録された情報の再生装置において、
前記光磁気記録部に記録された情報を再生する際の再生レーザビームパワーを、前記プリフォーマット部の情報を再生する際の再生レーザビームパワーよりも大きなレーザビームパワーに切り換える切換手段を具備したことを特徴とする磁気誘導超解像光磁気記録媒体に記録された情報の再生装置。
【請求項６】
光磁気記録媒体に再生レーザビームを照射するレーザ光源を有し、再生レーザビームの照射によって前記光磁気記録媒体上に形成されたビームスポットの大きさで決まる光学分解能よりも高い分解能で情報の再生が可能な光磁気記録部と、プリフォーマット部を有する磁気誘導超解像光磁気記録媒体に記録された情報の再生装置において、
前記光磁気記録部に記録された情報を再生する際の再生レーザビームパワーを、前記プリフォーマット部の情報を再生する際の再生レーザビームパワー又は待機中のレーザビームのパワーよりも大きなレーザビームパワーに切り換える切換手段を具備するとともに、
前記切換手段による再生レーザビームパワーの切り換えを、前記プリフォーマット部のＩＤ検出信号に基づく光磁気データリードゲート信号に応じて行うことを特徴とする磁気誘導超解像光磁気記録媒体に記録された情報の再生装置。
【請求項７】
再生レーザビームパワーを、光磁気記録媒体の再生位置に応じて設定することを特徴とする請求項５又は６記載の再生装置。
【請求項８】
前記切換手段は切換回路から構成されており、該切換回路は記録のためのレーザビームパワーを発生する回路と兼用したことを特徴とする請求項５，６又は７記載の再生装置。
【発明の詳細な説明】
【０００１】
【発明の属する技術分野】
本発明は光磁気記録媒体に記録された情報の再生方法及び装置に関する。
光磁気ディスクは高密度記録媒体として知られているが、情報量の増大に伴いさらなる高密度化が要望されている。高密度化は記録マークの間隔を詰めることによって実現できるが、その記録及び再生は、媒体上の光ビームの大きさ（ビームスポット）によって制限される。
【０００２】
ビームスポット内に一つの記録マークしか存在しないように設定した場合、記録マークがあるかないかによって“１”，“０”に対応する出力波形が再生信号として観測できる。
【０００３】
しかし、記録マークの間隔を詰めてビームスポット内に複数個存在するようにすると、媒体上のビームスポットが移動しても再生出力に変化が生じないため、出力波形は直線となって記録マークのありなしを識別できなくなる。
【０００４】
このようなビームスポットの大きさ以下の周期を持つ小さな記録マークを再生するためには、ビームスポットを小さく絞ればよいが、ビームスポットの大きさは光源の波長λと対物レンズの開口数ＮＡとで制約され、十分に小さく絞ることはできない。
【０００５】
【従来の技術】
最近、現行の光学系をそのまま利用してビームスポットの大きさ以下の記録マークを再生する磁気誘導超解像媒体（Ｍａｇｎｅｔｉｃａｌｌｙ  Ｉｎｄｕｃｅｄ  Ｓｕｐｅｒｒｅｓｏｌｕｔｉｏｎ媒体、以下ＭＳＲ媒体という）を利用した再生方法が提案されている。これは、ビームスポット内の一つのマークを再生しているとき他のマークをマスクすることで再生分解能を上げる再生方法である。
【０００６】
このためＭＳＲ媒体には、マークを記録するための記録層以外に信号再生時に一つのマークのみが再生されるように他のマークを隠しておくためのマスク層又は再生層が最低必要となる。
【０００７】
以下、このＭＳＲ媒体とその記録再生方法について簡単に説明する。図１はＪｐｎ．  Ｊ．  Ａｐｐｌ．  Ｐｈｙｓ．  Ｖｏｌ．３１（１９９２）  ｐｐ．５６８−５７５  Ｐａｒｔ  １．  Ｎｏ．２Ｂ，  Ｆｅｂｒｕａｒｙ  １９９２に開示されているＭＳＲ媒体の構成と記録トラックにおける記録マーク及びビームスポットの位置関係とを示す図である。
【０００８】
図示しない透明基板上には磁性再生層２、磁性スイッチ層３及び磁性記録層４が順に積層されている。記録層４には磁化の向きでデータが記録され、照射するレーザビームのスポット径より狭いピッチで記録トラック５に記録マーク６が形成されている。
【０００９】
再生層２はＧｄＦｅＣｏからなり、キュリー温度は３００°Ｃ以上である。スイッチ層３はＧｄＦｅＣｏＡｌからなり、キュリー温度は約１４０°Ｃである。また、記録層４はＧｄＦｅＣｏからなり、キュリー温度は約２５０°Ｃである。
【００１０】
光磁気記録媒体の場合、記録時のレーザビームのパワーを制御することにより、キュリー温度Ｔｃ以上になる領域をそのビームスポット径より小さくできるので、小さな記録マークを形成することはそれほど困難ではない。
【００１１】
次に、媒体に記録された情報の再生方法について説明する。室温においては、スイッチ層３を介した交換結合によって再生層２の磁化の向きは記録層４の磁化の向きに合っている。
【００１２】
ところが、再生用のレーザビーム７の照射によって温度が上昇してスイッチ層３のキュリー温度Ｔｃを超えた部分（高温領域）では、記録層４と再生層２の間の交換結合が切れるので、その部分の再生層２の磁化方向は外部から印加する再生磁界Ｈｒの向きに揃うことになる。
【００１３】
その結果、この高温領域は記録マークを覆い隠すマスクとなり、ビームスポット８内の低温領域から記録層４に記録されたデータを読み出すことができる。このようにして、再生用レーザビームのビームスポット径よりも小さな領域から記録マークを読み出すことができ、実質的に再生用レーザビームのビームスポット径よりも小さなビームスポットで再生した場合と同等の分解能が得られる。
【００１４】
図２は、以上のようなＭＳＲ媒体を用いた場合と、従来の通常の光磁気記録媒体を用いた場合とにおける再生信号特性を示すグラフである。ＭＳＲ媒体を用いた場合には、記録線密度が高くなって記録マークが小さくなっても、良好な再生特性が得られている。
【００１５】
尚、上述したようなビームスポット内の高温領域をマスクして低温領域から記録マークを読み出す方法は、ＦＡＤ（Ｆｒｏｎｔ  Ａｐｅｒｔｕｒｅ  Ｄｅｔｅｃｔｉｏｎ）方式と呼ばれている。
【００１６】
この例とは逆に、ビームスポット内の低温領域をマスクして高温領域から記録マークを読み出す方法はＲＡＤ（Ｒｅａｒ  Ａｐｅｒｔｕｒｅ  Ｄｅｔｅｃｔｉｏｎ  ）方式と呼ばれ、ＦＡＤ方式と同様に高分解能の再生が可能である。
【００１７】
このＲＡＤ方式は、磁性再生層及び磁性記録層の２層膜構造の光磁気ディスクで実現できる。再生用レーザビーム照射の直前に初期化磁界を印加し、記録マークは初期化磁界を通過した際に、再生層だけが初期化磁界の磁化の向きに揃うようにする。
【００１８】
このとき、記録層は記録マークを保持している。初期化磁界の印加直後には、記録層のデータを再生層が覆った状態で再生層がマスクの働きをする。再生用レーザビームが照射されると、マスクである再生層の温度が上昇する。
【００１９】
記録層と再生層の間の交換結合力が再生層の保磁力よりも大きくなると、記録層の磁化方向が再生層に転写される。即ち、高温領域において再生層のマスクが外れたことになり、高温領域から記録マークを読み出すことができる。
【００２０】
【発明が解決しようとする課題】
上述したように、ＦＡＤ方式のＭＳＲ媒体を再生する場合には、再生磁界Ｈｒの印加が必要である。しかし、通常の光磁気ディスクの再生装置では再生時に磁界を印加しない構成であるので、通常の再生装置そのままの構成ではＭＳＲ媒体に記録された情報を再生できないという問題がある。
【００２１】
ＭＳＲ媒体における媒体の周速と再生レーザビームのパワーとの関係を図３に示す。この図は、マークの長さを０．４μｍとし、周速を変化させて４３ｄＢ以上のＣ／Ｎが得られる場合の最低の再生レーザパワーを示したグラフである。
【００２２】
通常の光磁気ディスクにおける再生レーザパワーは１．０〜１．５ｍＷ程度であって周速依存性がないのに比べて、ＭＳＲ媒体では再生レーザパワーの値自体が大きく、しかも必要な最低パワー値が周速によって変化する。
【００２３】
よって、通常の光磁気ディスクでは、上記程度のパワーを持続してレーザダイオードを連続発光させても特に問題ではないが、ＭＳＲ媒体において再生時の高いレーザパワーを常に維持しておくことは、レーザダイオードの寿命の低下につながるという問題がある。
【００２４】
よって本発明の目的は、記録された情報を再生する際にのみ再生レーザビームのパワーを大きくすることにより、光源の寿命の短縮を防止できる光磁気記録媒体に記録された情報の再生方法及び装置を提供することである。
【００２５】
【課題を解決するための手段】
本発明によると、再生レーザビームの照射によって光磁気記録媒体上に形成されたビームスポットの大きさで決まる光学分解能よりも高い分解能で情報の再生が可能な光磁気記録部と、プリフォーマット部を有する磁気誘導超解像光磁気記録媒体に記録された情報の再生方法において、前記光磁気記録部に記録された情報を再生する際の再生レーザビームのパワーを、前記プリフォーマット部の情報を再生する際の再生レーザビームのパワーよりも大きくすることを特徴とする磁気誘導超解像光磁気記録媒体に記録された情報の再生方法が提供される。
【００２６】
好ましくは、再生レーザビームのパワーの切り換えは、プリフォーマット部のＩＤ検出信号に基づく光磁気データリードゲート信号に応じて行なわれる。好ましくは、再生レーザビームパワーを切り換えるための回路は、記録のためのレーザビームパワーを発生する回路と兼用されている。
【００２７】
本発明の他の側面によると、光磁気記録媒体に再生レーザビームを照射するレーザ光源を有し、再生レーザビームの照射によって前記光磁気記録媒体上に形成されたビームスポットの大きさで決まる光学分解能よりも高い分解能で情報の再生が可能な光磁気記録部と、プリフォーマット部を有する磁気誘導超解像光磁気記録媒体に記録された情報の再生装置において、前記光磁気記録部に記録された情報を再生する際の再生レーザビームパワーを、前記プリフォーマット部の情報を再生する際の再生レーザビームパワーよりも大きなレーザビームパワーに切り換える切換手段を具備したことを特徴とする磁気誘導超解像光磁気記録媒体に記録された情報の再生装置が提供される。
【００２８】
好ましくは、切り換え手段による再生レーザビームパワーの切り換えは、プリフォーマット部のＩＤ検出信号に基づく光磁気データリードゲート信号に応じて行なわれる。
【００２９】
好ましくは、再生レーザビームパワーは、光磁気記録媒体の再生位置に応じて設定されている。更に好ましくは、前記切り換え手段は切り換え回路から構成されており、該切り換え回路は記録のためのレーザビームパワーを発生する回路と兼用されている。
【００３０】
【発明の実施の形態】
以下、図面を参照して、ＭＳＲ媒体に記録された情報を再生する際に、再生レーザビームパワーの切り換えを行う点に特徴がある本発明の再生方法及び装置について説明する。
【００３１】
図４（Ａ）は、ＭＳＲ媒体の記録セクタのフォーマットを示しており、図４（Ｂ）は本発明の再生方法のタイミングを図４（Ａ）に示した記録フォーマットに合わせて示している。
【００３２】
光磁気ディスクでは、その各セクタの先頭部分に、図４（Ａ）に示すようにセクタマークがプリフォーマット信号で記録されたセクタマーク領域、トラック番号及びセクタ番号が同じくプリフォーマット信号で記録されたＩＤ領域が、この順に設けられている。これらのプリフォーマット領域に続けて、ユーザデータが記録されるデータ領域が設けられている。
【００３３】
再生する場合には、まずセクタマークが検出され、これに基づいてＩＤリードゲートが開いてＩＤ領域のデータが読み出される。そして、再生したＩＤ番号（トラック番号、セクタ番号）が再生対象のセクタのものと合致すると、ＩＤ検出信号が出力される。
【００３４】
このＩＤ検出信号に基づいて、光磁気記録されたデータ領域のデータを再生するためのデータリードゲートが開く。１セクタ当たりのデータ領域のバイト数は予め決まっているので、所定長さのデータの再生が終了すると、データリードゲートが閉じて再生動作は終了する。
【００３５】
本発明の再生方法では、光磁気記録されたデータを再生する際に、プリフォーマットされたデータを再生するとき又は待機状態である時より、再生レーザパワーを大きくする。
【００３６】
再生レーザパワーの切り換えタイミングとして、データリードゲートを開放する為のデータリードゲート信号を用いる。データリードゲートが開いている間、即ちデータリードゲート信号がハイである場合に、ＭＳＲ媒体に光磁気記録されたデータの再生に最適な強度まで再生レーザパワーを上昇させる。
【００３７】
このように制御することにより、光磁気記録されたデータを再生する間にのみ確実に再生レーザパワーを高くでき、他の場合には再生レーザパワーを低レベルに抑えることができる。
【００３８】
ところで、ＭＳＲ媒体では所定温度以上にならないと超解像効果が得られないので、図３に示したように、周速が変化すると超解像効果が得られる最低の再生レーザパワーも異なってくる。
【００３９】
よって、光磁気記録されたデータを再生する間において、一定の高レベルの再生レーザパワーを維持しておく必要はなく、周速に応じて再生レーザパワーを変動させればより効果的である。
【００４０】
ＭＳＲ媒体の周速は規格化されたＭＳＲ媒体の半径位置から容易に算出できる。また、その半径位置はＩＤ領域内のトラック番号を読み出すことによって容易にわかる。
【００４１】
よって、半径位置に対応するトラック番号を示す信号に基づいて、再生可能な必要最低限の再生レーザパワーになるためにレーザダイオードに与えるべき電流値を設定するようにすればよい。
【００４２】
図５は、このような点を考慮して構成した、本発明の再生方法及び再生装置に使用する再生レーザパワーの切り換え回路の構成を示す概略図である。図５において、符号５０は光源としてのレーザダイオード、５２はレーザダイオード５０からのレーザビームをモニタするフォトダイオードである。
【００４３】
オートパワーコントロール回路（ＡＰＣ回路）５４は、フォトダイオード５２のモニタ結果に基づいてレーザダイオード５０から所定パワーのレーザビームが出射されるように、レーザダイオード５０へ流す電流を制御する。
【００４４】
レーザダイオード５０には、前述したデータリードゲート信号に基づいて開閉が制御されるスイッチ５６を介して定電流回路５８が接続されている。同様に、フォトダイオード５２には、データリードゲート信号に基づいて開閉が制御されるスイッチ６０を介して、定電流回路６２が接続されている。
【００４５】
各定電流回路５８，６２には、半径位置（トラック番号）を示す信号により適正な電流値を設定する電流値設定回路６４が接続されており、電流値設定回路６４は設定した電流値を各定電流回路５８，６２へ出力する。
【００４６】
動作においては、待機中またはプリフォーマット記録部のデータを再生する場合、データリードゲート信号が入力されずに各スイッチ５６，６０は開かれている。
【００４７】
ＡＰＣ回路５４の制御により、所定の低いレーザパワーにてレーザダイオード５０を発光させる。ＩＤ領域のトラック番号を示す信号が読み出されると、そのトラック番号に基づいて、電流値設定回路６４においてそのトラック番号における周速に合った再生可能な最低のレーザパワーを出力するための電流値が設定され、各定電流回路５８，６２に出力される。
【００４８】
ＩＤ領域の読み出しが終了すると、データリードゲート信号が出力され各スイッチ５６，６０に入力されるとともに、光磁気記録部のデータの再生を開始する。この際、光磁気記録部のデータ再生のパワーレベルでレーザダイオード５０が発光する。
【００４９】
データリードゲート信号の入力によってスイッチ５６が閉じられるため、レーザダイオード５０から定電流回路５８へパワー増加分の電流が流れる。このとき、同時にスイッチ６０も閉じられ、フォトダイオード５２から定電流回路６２へも同量の電流が流れる。
【００５０】
よって、データリードゲート信号が入力されている間、高い再生レーザパワーを維持して光磁気記録されたデータの再生が行われる。即ち、レーザダイオード５０の出力ビームのパワーの増加分に対応したフォトダイオード５２の出力電流を定電流回路６２で吸収することにより、ＡＰＣ回路５４は、レーザパワーが変化していないかのように制御動作を続ける。
【００５１】
そして、データリードゲート信号が入力されなくなると、即ち光磁気記録されたデータの再生が終了すると、低いパワーのレーザビームがレーザダイオード５０から出力される。
【００５２】
図５に示した回路構成は、記録のために記録レーザパワーを発生させる回路の構成と同等であるので、これらの回路を兼用することも可能である。
【００５３】
【発明の効果】
以上詳述したように、本発明によれば、光磁気記録された情報を再生する場合に限ってのみ、再生レーザパワーを高くするので、ＭＳＲ媒体であっても光源の寿命を損なうことがなく、適正な再生レーザパワーでデータ再生を行える。
【図面の簡単な説明】
【図１】従来のＭＳＲ媒体の再生原理を示す図であり、（Ａ）が媒体の平面図を、（Ｂ）が媒体の断面図をそれぞれ示している。
【図２】ＭＳＲ媒体と通常の光磁気記録媒体の再生信号特性を示すグラフである。
【図３】ＭＳＲ媒体の周速と再生に必要な再生レーザパワーとの関係を示すグラフである。
【図４】記録セクタのフォーマット図及び本発明の再生方法のタイミングチャート。
【図５】本発明の再生方法を実施するための回路の構成図である。
【符号の説明】
５０  レーザダイオード
５２  フォトダイオード
５４  ＡＰＣ回路
５８，６２  定電流回路
【図１】
0003547627.tif 000002
【図２】
0003547627.tif 000003
【図３】
0003547627.tif 000004
【図４】
0003547627.tif 000005
【図５】
0003547627.tif 000006